(57)【特許請求の範囲】
【請求項１】
ロータの１対のロータアームの先端に糸案内姿勢と糸開放姿勢とに揺動自在に装着され釣り糸をスプールに案内するスピニングリールの釣り糸案内機構であって、
前記ロータアームの先端にそれぞれ揺動自在に装着された１対のベール支持部材と、
前記１対のベール支持部材の一方に一端が固定された固定軸と、
前記固定軸に回動自在に支持され、周面に前記釣り糸を案内する案内部が形成されたラインローラと、
前記一方のベール支持部材の先端から前記ラインローラの外方を経て前記固定軸の他端に向かって延びる橋絡部と、前記橋絡部の先端に一体で形成され前記固定軸の他端を支持するリング状の軸支部とを有するアーチ部と、
前記固定軸の他端に前記一方のベール支持部材と間隔を隔てて設けられ、前記軸支部を外側から覆いかつ前記ラインローラの端部と重なる位置まで延びる固定軸カバーと、
前記ベール支持部材の他方と前記固定軸カバーとに両端が固定され、前記スプールの周方向外方に凸に湾曲して配置され、前記固定軸カバーを介して前記釣り糸を前記ラインローラに導くためのベールと、
を備えたスピニングリールの釣り糸案内機構。
【請求項２】
前記橋絡部は、前記軸支部の外周面で前記軸支部に接続されており、
前記固定軸カバーは、前記軸支部を前記橋絡部との接続部分を除いて実質的に全周にわたり覆い、かつ前記接続部分で前記橋絡部により回転方向の位置決めがなされている、請求項１に記載のスピニングリールの釣り糸案内機構。
【請求項３】
前記橋絡部は、前記一方のベール支持部材において、前記固定軸の固定位置より前方で前記固定軸の他端に向かって延びている、請求項１又は２に記載のスピニングリールの釣り糸案内機構。
【請求項４】
前記固定軸と固定軸カバーとは一体で切削加工により形成されている、請求項１から３のいずれかに記載のスピニングリールの釣り糸案内機構。
【請求項５】
前記ラインローラは、前記固定軸に軸方向に間隔を隔てて配置された２つの転がり軸受により前記固定軸に回転自在に支持されている、請求項１から４のいずれかに記載のスピニングリールの釣り糸案内機構。
【請求項６】
前記固定軸カバーとラインローラとの間に介装された合成樹脂製のカラー部材をさらに備える、請求項１から５のいずれかに記載のスピニングリールの釣り糸案内機構。
【発明の詳細な説明】
【０００１】
【発明の属する技術分野】
本発明は、釣り糸案内機構、特に、ロータの１対のロータアームの先端に糸案内姿勢と糸開放姿勢とに揺動自在に装着され釣り糸をスプールに案内するスピニングリールの釣り糸案内機構に関する。
【０００２】
【従来の技術】
スピニングリールには、釣り糸をスプールに案内するベールアーム（釣り糸案内機構の一例）が設けられている。ベールアームは、ロータアームの先端に糸案内姿勢と糸開放姿勢とに揺動自在に装着されており、１対のロータアームに揺動自在に装着された１対のベール支持部材と、一方のベール支持部材の先端に装着されたガイドローラとを備えている。ガイドローラは、一方のベール支持部材に片持ち支持された固定軸に回転自在に支持されている。ガイドローラの先端には固定軸カバーが固定され、固定軸カバーには、ベールの一端が固定されている。ベールの他端は他方のベール支持部材に固定されている。
【０００３】
このような構成の従来のベールアームでは、引きが強い魚を釣るための大型のスピニングリールの場合、固定軸が一方のベール支持部材に片持ち支持されているだけであると強度が充分ではない。そこで、大型のスピニングリールでは、固定軸を両端支持しているものが知られている（実開平３−１１７４６２号等）。前記公報に開示されたベールアームでは、ベール支持部材の先端から固定軸カバーに向けて延びる橋絡部と橋絡部の先端に一体で形成されたリング部とを設け、このリング部に固定軸カバーをはめ込むことで固定軸の他端を支持し固定軸を両端支持している。
【０００４】
【発明が解決しようとする課題】
前記従来の釣り糸案内機構では、固定軸カバーとリング部との間に環状の溝又は突起が生じ、この部分にベールから案内された釣り糸が引っ掛かったり噛み込んだりすることがある。また、固定軸カバーは、固定軸と兼用されたボルトによりベール支持部材に中心部で固定されているだけであり回り止めされていないので、ベールの位置が安定せず、ロータ全体の回転バランスが安定しない。
【０００５】
本発明の課題は、固定軸を両端支持可能な釣り糸案内機構において、釣り糸が引っ掛かったり噛み込んだりしないようにすることにある。
本発明の別の課題は、固定軸を両端支持可能な釣り糸案内機構において、ロータの回転バランスを安定させるようにすることにある。
【０００６】
【課題を解決するための手段】
発明１に係るスピニングリールの釣り糸案内機構は、ロータの１対のロータアームの先端に糸案内姿勢と糸開放姿勢とに揺動自在に装着され釣り糸をスプールに案内する機構であって、１対のベール支持部材と、固定軸と、ラインローラと、アーチ部と、固定軸カバーと、ベールとを備えている。１対のベール支持部材は、ロータアームの先端にそれぞれ揺動自在に装着された部材である。固定軸は、１対のベール支持部材の一方に一端が固定された軸である。ラインローラは、固定軸に回動自在に支持され、周面に釣り糸を案内する案内部が形成されたローラである。アーチ部は、一方のベール支持部材の先端からラインローラの外方を経て固定軸の他端に向かって延びる橋絡部と、橋絡部の先端に一体で形成され固定軸の他端を支持するリング状の軸支部とを有している。固定軸カバーは、固定軸の他端に一方のベール支持部材と間隔を隔てて設けられ、軸支部を外側から覆いかつラインローラの端部と重なる位置まで延びるカバーである。ベールは、ベール支持部材の他方と固定軸カバーとに両端が固定され、スプールの周方向外方に凸に湾曲して配置され、固定軸カバーを介して釣り糸をラインローラに導くためのものである。
【０００７】
このスピニングリールの釣り糸案内機構では、キャスティング時等に糸開放姿勢から糸案内姿勢に復帰させロータを回転させると、釣り糸がベールに接触しながら固定軸カバーを経てラインローラに案内され、さらにスプールに案内され巻き付けられる。この固定軸カバーは、軸支部を外側から覆いかつラインローラの端部と重なる位置まで延びているので、軸支部に釣り糸が接触することがない。このため、固定軸カバーの糸接触部分を滑らかにすることで、釣り糸がベールからラインローラに案内される際に引っ掛かったり噛み込んだりしにくくなる。
【０００８】
発明２に係るスピニングリールの釣り糸案内機構は、発明１に記載の機構において、橋絡部は、軸支部の外周面で軸支部に接続されており、固定軸カバーは、軸支部を橋絡部との接続部分を除いて実質的に全周にわたり覆い、かつ接続部分で橋絡部により回転方向の位置決めがなされている。この場合には、橋絡部が軸支部の外周部に接続され、この接続部分で橋絡部により固定軸カバーが回転方向の位置決めがなされているので、固定軸カバーが軸芯回りに回らなくなり、ロータの回転バランスが安定する。しかも、固定軸カバーが接続部分を除いて軸支部を実質的に全周にわたり覆っているので、固定軸カバーからラインローラに案内される釣り糸がより引っ掛かったり噛み込みんだりしにくくなる。
【０００９】
発明３に係るスピニングリールの釣り糸案内機構は、発明１又は２に記載の機構において、橋絡部は、一方のベール支持部材において、固定軸の固定位置より前方で固定軸の他端に向かって延びている。この場合には、橋絡部が釣り糸が案内される面と逆側に配置されるので、釣り糸をラインローラに案内するうえで橋絡部がじゃまにならない。
【００１０】
発明４に係るスピニングリールの釣り糸案内機構は、発明１から３のいずれかに記載の機構において、固定軸と固定軸カバーとは一体で切削加工により形成されている。この場合には、固定軸と固定軸カバーとが一体であるので、固定軸の強度がさらに強くなる。しかも切削加工されているので、表面が滑らかで精度よく仕上がる。
【００１１】
発明５に係るスピニングリールの釣り糸案内機構は、発明１から４のいずれかに記載の機構において、ラインローラは、固定軸に軸方向に間隔を隔てて配置された２つの転がり軸受により固定軸に回転自在に支持されている。この場合には、ラインローラが２つの転がり軸受により支持されているので、ラインローラの回転がスムーズになり、釣り糸を巻き取るときの巻取抵抗が減少する。
【００１２】
発明６に係るスピニングリールの釣り糸案内機構は、発明１から５のいずれかに記載の機構において、固定軸カバーとラインローラとの間に介装された合成樹脂製のカラー部材をさらに備える。この場合には、固定軸カバーとラインローラとの間にカラー部材が介装されるので、固定軸カバーからラインローラに案内される釣り糸が両者の間により噛み込みにくくなる。
【００１３】
【発明の実施の形態】
〔全体構成及びリール本体の構成〕
図１及び図２において、本発明の一実施形態を採用したスピニングリールは、たとえば、８号の釣り糸を２００ｍ程度巻き付け可能な大型のスピニングリールである。スピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１４】
ハンドル１は、Ｔ字状の把手部１ａと、先端に把手部１ａが回転自在に装着されたＬ字状のクランクアーム１ｂとを有している。クランクアーム１ｂは、基端側においてワンタッチで折れ曲がり可能である。なお、ハンドル１は、リール本体２に対して、図１及び図２に示す右側と逆の左側との左右どちらにも装着可能である。
【００１５】
リール本体２は、側部に開口を有するリールボディ２ａと、リールボディ２ａから斜め上前方に一体で延びるＴ字状の竿取付脚２ｂとを有している。
リールボディ２ａは、図２に示すように、内部に機構装着用の空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１６】
ロータ駆動機構５は、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は、軸受を介してリールボディ２ａに回転自在に支持されている。ハンドル軸１０の両端にはネジ方向及び径が異なる雌ネジ部がそれぞれ形成されており、両雌ネジ部にハンドル１が回転不能に装着可能である。
【００１７】
ピニオンギア１２は筒状に形成されており、その前部はロータ３の中心部を貫通しており、ナット３３によりロータ３と固定されている。ピニオンギア１２は、その軸方向の中間部と後端部とが、それぞれ軸受を介してリール本体２に回転自在に支持されている。
オシレーティング機構６は、スプール４を前後方向に移動させるための機構である。オシレーティング機構６は、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００１８】
〔ロータの構成〕
ロータ３は、ピニオンギア１２に固定された円筒部３０と、円筒部３０の側方に互いに対向して設けられた第１及び第２ロータアーム３１，３２と、釣り糸をスプール４に案内するための釣り糸案内機構としてのベールアーム３４とを有している。円筒部３０と両ロータアーム３１，３２とは、たとえばアルミニウム合金製であり一体成形されている。円筒部３０の先端中心部分が前述のようにナット３３によりピニオンギア１２の先端部に回転不能に固定されている。
【００１９】
〔ベールアームの構成〕
ベールアーム３４は、両ロータアーム３１，３２の先端に糸案内姿勢と糸開放姿勢との間で揺動自在に装着されている。ベールアーム３４は、ロータアーム３１，３２の先端にそれぞれ揺動自在に装着された第１及び第２ベール支持部材４０，４２を有している。第１ベール支持部材４０は、第１ロータアーム３１の外側に揺動自在に装着され、第２ベール支持部材４２は、第２ロータアーム３２の内側に装着されている。
【００２０】
さらに、ベールアーム３４は、図３から図５に示すように、両支持部材４０，４２を連結するベール４１と、第１ベール支持部材４０に先端が固定された固定軸４３と、固定軸４３に支持されたラインローラ４４と、固定軸４３の基端を支持するためのアーチ部４５と、アーチ部４５の一部を覆う固定軸カバー４６とを有している。
【００２１】
第１ベール支持部材４０は、第１ロータアーム３１に揺動自在に装着されたアーム部４０ａと、アーム部４０ａの先端に一体形成されたリング状の装着部４０ｂとを有している。装着部４０ｂには貫通孔４０ｃが形成されており、貫通孔４０ｃには、固定軸４３の先端を支持するための円板状の支持部５１がはめ込まれている。支持部５１は、貫通孔４０ｃに形成されたネジ孔に螺合する蓋部材５０により装着部４０ｂに回転不能に固定されている。この蓋部材５０の外側面には、硬貨により回転させるためのコイン溝５０ａが形成されている。支持部５１にはボルト貫通孔５１ａが中心に形成されている。ボルト貫通孔５１ａには、固定軸４３を第１ベール支持部材４０に固定するための固定ボルト５２が貫通している。
【００２２】
ベール４１は、第２ベール支持部材４２及び固定軸カバー４６に両端がかしめ固定された針金状の部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００２３】
固定軸４３は、固定軸カバー４６と一体で切削加工により製作された部材である。固定軸４３は、固定軸カバー４６と一体の基端から第１ベール支持部材４０に向かって延びており、先端が支持部５１に固定ボルト５２により固定されている。
ラインローラ４４は、ローラ本体４４ａと、ローラ本体４４ａの内周側に両端からそれぞれはめ込まれた１対の鍔付きカラー４４ｂ，４４ｃとを有している。ローラ本体４４ａは、外周面に釣り糸を案内する環状の釣り糸案内溝４４ｄが形成された筒状の部材であり、その内周面にカラー４４ｂ，４４ｃが圧入されている。カラー４４ｂ，４４ｃの内周部には、２つの転がり軸受４７ａ，４７ｂが軸方向に間隔を隔てて配置されており、ラインローラ４４は、この２つの軸受４７ａ，４７ｂを介して固定軸４３に回動自在に支持されている。
【００２４】
アーチ部４５は、第１ベール支持部材４０の装着部４０ｂの先端部からラインローラ４４の外方を経て固定軸４３の基端に向かって延びる橋絡部４５ａと、橋絡部４５ａの先端に一体で形成され固定軸４３の基端を支持するリング状の軸支部４５ｂとを有している。橋絡部４５ａは、第１ベール支持部材４０において、固定軸４３の固定位置より前方でかつスプール４に向いた位置から固定軸４３の基端に向かってアーチ状に湾曲して延びている。また、橋絡部４５ａは、軸支部４５ｂの外周面で軸支部４５ｂに接続されている。
【００２５】
固定軸カバー４６は、固定軸４３の基端に第１ベール支持部材４０の装着部４０ｂと間隔を隔てて設けられている。固定軸カバー４６は、リング状の軸支部４５ｂを外側から覆いかつラインローラ４４の端部と重なる位置まで延びている。固定軸カバー４６は、軸支部４５ｂを橋絡部４５ａとの接続部分を除いて実質的に全周にわたり覆い、かつ接続部分で橋絡部４５ａにより回転方向の位置決めがなされている。
【００２６】
すなわち、固定軸カバー４６は、頂点が中心からずれた略円錐形状の部材であり、固定軸４３の中心を基準にしてリールの後方でかつスプール４の径方向外方に頂点が向いている。固定軸カバー４６の頂点より釣り糸案内側に偏倚してベール４１がかしめ固定されている。固定軸カバー４６の頂点と逆側の面には、リング状のローラ収納空間４６ａが形成されており、この空間にアーチ部４５の軸支部４５ｂとラインローラ４４の一端とが収納されている。そして、このローラ収納空間４６ａの先細り円筒状の外壁部４６ｂの一部に切欠き部４６ｃが形成されており、この切欠き部４６ｃにアーチ部４５の橋絡部４５ａの先端が係合している。この係合により固定軸カバー４６の回り止めがなされる。
【００２７】
またローラ収納空間４６ａには、カラー部材４８が装着されている。カラー部材４８は、図４から図６に示すように、たとえばポリアセタール樹脂製等の合成樹脂製の筒状の部材であり、固定軸カバー４６からラインローラ４４に案内される釣り糸が両者の間に噛み込むのを防止するために設けられている。カラー部材４８は、固定軸４３にはめ込まれる内筒部４８ａと、外壁部４６ｂの内周面にはめ込まれる外筒部４８ｂと、両筒部４８ａ，４８ｂを連結する円板状の連結部４８ｃと、外筒部に立設された埋込部４８ｄとを有している。内筒部４８ａの先端は転がり軸受４７ａの内輪に当接している。なお、転がり軸受４７ａの内輪と転がり軸受４７ｂの内輪との間には、筒状のスペーサ４９が配置されており、転がり軸受４７ｂの内輪は支持部５１に当接している。外筒部４８ｂの先端は、外壁部４６ｂの先端まで延びている。連結部４８ｃは、アーチ部４５の軸支部４５ｂに接して配置されている。埋込部４８ｄは、橋絡部４５ａの軸支部４５ｂとの接続部分と固定軸カバー４６の切欠き部４６ｃとの隙間を埋めるために設けられており、その外周縁は固定軸カバー４６と面一になっている。この埋込部４８ｄを設けることが糸ふけ等により釣り糸が固定軸カバー４６の前側に接触しても釣り糸が引っ掛かりにくくなる。また、固定軸カバー４６と橋絡部４５ａとの隙間が小さくなるので、固定軸カバー４６の位置決めを確実に行え、固定軸カバー４６がぐらつきにくい。
【００２８】
スプール４は、ロータ３の第１ロータアーム３１と第２ロータアーム３２との間に配置されており、スプール軸１５の先端部にスプール４の中心部がドラグ機構６０を介して連結されている。
〔リールの操作及び動作〕
このスピニングリールでは、キャスティング時等の糸繰り出し時にはベールアーム３４を糸開放姿勢に倒す。これにより第１及び第２ベール支持部材４０，４２は揺動する。この結果、釣り糸は仕掛けの自重によりスプール４の先端側から順に繰り出される。
【００２９】
糸巻取時には、ベールアームを糸巻取姿勢側に戻す。これは、ハンドル１を糸巻取方向に回転させると、図示しないベール反転機構の働きにより自動的に行われる。ハンドル１の回転力は、ハンドル軸１０及びマスターギア１１を介してピニオンギア１２に伝達される。ピニオンギア１２に伝達された回転力は、その前部からロータ３に伝達されるとともにピニオンギア１２に噛み合う中間ギア２３によりオシレーティング機構６に伝達される。この結果、ロータ３が糸巻取方向に回転するとともにスプール４が前後に往復移動する。
【００３０】
この巻き初めの時にベール４１に接触した釣り糸は、ベール４１により固定軸カバー４６に案内される。固定軸カバー４６に案内された釣り糸は、ラインローラ４４に案内され、さらにラインローラ４４で方向が変えられスプール４外周に巻き取られる。
このとき、固定軸カバー４６がラインローラ４４に重なり合うように配置されかつ固定軸カバー４６が軸支部４５ｂを覆っているので、釣り糸が引っ掛かったり噛み込んだりしにくくなる。しかも、固定軸カバー４６とラインローラ４４との間にカラー部材４８を介装しているので、さらに両者の間に釣り糸が噛み込みにくい。また、固定軸４３の基端が軸支部４５ｂに支持され先端が支持部５１に支持される両端支持により固定されているので、大型の魚が仕掛けに掛かった場合のようにラインローラ４４に大きな負荷が作用しても固定軸４３が強固に支持され撓みにくくなる。このため、大きな負荷が作用してもラインローラ４４の回転は滑らかでありスムーズに釣り糸を巻き取ることができる。
【００３１】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の全てのスピニングリールに本発明は適用できる。
【００３２】
（ｂ）  前記実施形態では、橋絡部で固定軸カバーを回り止めしたが、固定軸を第１ベール支持部材で回り止めし、さらに固定軸カバーと固定軸とを回り止めしてもよい。
（ｃ）  前記実施形態では、固定軸と固定軸カバーとを一体で形成したが、別体で形成してもよい。
【００３３】
【発明の効果】
本発明によれば、固定軸カバーが軸支部を外側から覆いかつラインローラの端部と重なる位置まで延びているので、軸支部に釣り糸が接触することがない。このため、固定軸カバーの糸接触部分を滑らかにすることで、釣り糸がベールからラインローラに案内される際に引っ掛かったり噛み込んだりしにくくなる。
【図面の簡単な説明】
【図１】本発明の一実施形態を採用したスピニングリールの右側面図。
【図２】その左側面断面図。
【図３】ベールアームの要部斜視図。
【図４】ベールアームの要部断面図。
【図５】図４のＶ−Ｖ断面図。
【図６】カラー部材の斜視図。
【符号の説明】
２  リール本体
３  ロータ
３１，３２  ロータアーム
３４  ベールアーム
４０，４２  ベール支持部材
４１  ベール
４３  固定軸
４４  ラインローラ
４５  アーチ部
４６  固定軸カバー
４７ａ，４７ｂ  転がり軸受
４８  カラー部材
【図１】
0003926044.tif 000002
【図２】
0003926044.tif 000003
【図３】
0003926044.tif 000004
【図４】
0003926044.tif 000005
【図５】
0003926044.tif 000006
【図６】
0003926044.tif 000007